(57)【要約】【課題】  フィルターの目詰まりを防止して飛散トナーの回収が確実にできる画像形成装置を提供する。【解決手段】  本発明の画像形成装置は、感光体１Ｙ，１Ｍ，１Ｃ，１Ｋと、現像装置４Ｙ，４Ｍ，４Ｃ，４Ｋと、飛散トナーを吸引するトナー吸引ダクト１３０と、トナー吸引ダクト内の空気を吸引する吸引手段２６０と、飛散トナーを吸着するフィルター２２０と、フィルターを振動させる振動手段２５０と、を有する。感光体１Ｙ，１Ｍ，１Ｃ，１Ｋとその現像装置４Ｙ，４Ｍ，４Ｃ，４Ｋとの間に発生した飛散トナーは、トナー吸引ダクト１３０，１３１に吸引され、集塵装置２００のフィルター２２０に捕捉される。振動手段２５０がフィルター２２０に振動を与えると、フィルター２２０に付着しているトナーが剥離して落下してトナー回収部２１１に入り、フィルターの目詰まりを防止する。【選択図】      図２
2007298781.tif 000002
【特許請求の範囲】
【請求項１】
像担持体と、該像担持体上の潜像をトナーで現像する現像装置と、該現像装置近傍に発生した飛散トナーを吸引するために像担持体の近傍に吸引口が設けられたトナー吸引ダクトと、該トナー吸引ダクト内の空気を吸引する吸引手段と、該吸引手段の上流側に設けられた飛散トナーを吸着するフィルターと、該フィルターを振動させる振動手段と、を有することを特徴とする画像形成装置。
【請求項２】
前記フィルターがシート状の素材を蛇腹状に折り畳んだ形状であることを特徴とする請求項１に記載の画像形成装置。
【請求項３】
前記蛇腹形状のフィルターの折り目が、トナー吸引ダクトの上流側から見て上下方向に広がっていることを特徴とする請求項２に記載の画像形成装置。
【請求項４】
前記振動手段が、前記フィルターを上下方向に振動させることを特徴とする請求項１から３のいずれかに記載の画像形成装置。
【請求項５】
前記フィルターの吸着面が、上記トナー吸引ダクトの上流側から見て上方が上流側に寄り、下方が下流側に寄る方向に傾斜していることを特徴とする請求項１から４のいずれかに記載の画像形成装置。
【請求項６】
前記フィルターから落下したトナーを収容する回収部を設けたことを特徴とする請求項１から５のいずれかに記載の画像形成装置。
【発明の詳細な説明】
【技術分野】
【０００１】
本発明は電子写真現像法を用いた画像形成装置に関し、特に、画像形成装置内で発生する飛散トナーの回収に関する。
【背景技術】
【０００２】
電子写真方式を用いた画像形成装置では、感光体ドラムなどの像担持体表面を一様に帯電させ、この上にレーザ光などで原稿画像を結像させて静電潜像を形成し、これにトナーを付着させてトナー画像とし、これを記録媒体としての用紙に転写し、定着装置でトナーを加熱溶融させて定着させている。
【０００３】
トナーには、磁性トナーからなる一成分磁性現像剤と、磁性キャリアとトナーを混合してなる２成分現像剤とがあるが、ここでは、トナーという場合、双方を含むものとしている。
【０００４】
画像形成装置では、コロナ放電に伴ってコロナ帯電器からオゾンが発生したり、現像操作に伴って現像装置からトナーが飛散したりするが、これらオゾンやトナーが、環境や画質に好ましくない影響を与えることは知られている。
【０００５】
オゾンについては、コロナ帯電器の構成を工夫したり、発生したオゾンを吸引ファンで強制的に吸引するとともに、その途上に設けたフィルタで臭気をとる構成などが提案されている。
【０００６】
また、飛散トナーについても、感光体表面に現像装置が近接する位置に、トナー吸引ダクトの吸引口を設ける構成が知られている。そして、吸引された飛散トナーは、トナー吸引ダクト内を飛翔して広い吸引室に入り、この吸引室の吸引ファン側に設けられたフィルターに捕捉される。
【０００７】
しかしながら、長期間飛散トナーを捕捉すると、フィルターは目詰まりを起こして、吸引力が低下し、飛散トナーの捕捉能力が低下する。
【０００８】
そこで、特許文献１（特開２００５−２４２１９５号）では、フィルターが設けられたフィルター室のフィルターの上流側の床面に磁石体を設け、フィルターに吸着される前のトナーを磁力によって落下させ、フィルターに吸着させないようにした現像剤回収部を提案している。
【０００９】
しかし、上記特許文献１の現像剤回収部では、飛散トナーには、ファンで吸引する力と、磁石による磁力の双方が加わり、トナーはこれらの合成された力の方向に移動するが、ファンの吸引力の方が大きいので、実質的にはフィルターに向かって進み、磁石には殆ど吸着されない。したがって、磁石に吸着させるためには、ファンを停止しなければならず、ファンを停止すればトナーを吸引できない、という二律背反の問題があった。また、トナーが磁石の上にある程度溜まると、トナーを落下させる磁力が低下して、トナーを吸着できなくなるという問題もあった。これらの問題から、フィルターの目詰まりが起こり易かった。
【特許文献１】特開２００５−２４２１９５号
【発明の開示】
【発明が解決しようとする課題】
【００１０】
本発明は、このような問題の解決を図ったもので、フィルターの目詰まりを防止して飛散トナーの回収が確実にできる画像形成装置を提供することを目的としている。
【課題を解決するための手段】
【００１１】
上記の目的を達成するために本発明の画像形成装置は、像担持体と、該像担持体上の潜像をトナーで現像する現像装置と、該現像装置近傍に発生した飛散トナーを吸引するために像担持体の近傍に吸引口が設けられたトナー吸引ダクトと、該トナー吸引ダクト内の空気を吸引する吸引手段と、該吸引手段の上流側に設けられた飛散トナーを吸着するフィルターと、該フィルターを振動させる振動手段と、を有することを特徴としている。
【００１２】
前記フィルターがシート状の素材を蛇腹状に折り畳んだ形状である構成としたり、前記蛇腹形状のフィルターの折り目が、トナー吸引ダクトの上流側から見て上下方向に広がっている構成としたり、前記振動手段が、前記フィルターを上下方向に振動させる構成としたり、前記フィルターの吸着面が、上記トナー吸引ダクトの上流側から見て上方が上流側に寄り、下方が下流側に寄る傾斜をしている構成としたり、前記フィルターから落下したトナーを収容する回収部を設けた構成としたりすることができる。
【発明の効果】
【００１３】
像担持体と現像装置との間に発生する飛散トナーは、トナー吸引ダクトで吸引され、フィルターに捕捉される。振動手段により振動を加えられるとフィルターが振動し、フィルターに付着していたトナーがフィルターから剥離し、フィルターの目詰まりを防止することができる。
【００１４】
フィルターをシート状の素材を蛇腹状に折り畳んだ形状とすることで、フィルターの剛性を高め、振動手段からの振動を伝達し易くすることができる。
【００１５】
蛇腹形状のフィルターの吸着面が、トナー吸引ダクトの上流側から見て上下方向に広がっている構成とすることで、フィルターに振動を与えトナーが剥離したとき、トナーが吸着面から落下したり、滑り落ちたりして吸着面から離れ易くすることができる。
【００１６】
フィルターを上下方向に振動させることで、フィルターに付着しているトナーを剥離し易くすることができる。
【００１７】
フィルターの吸着面が、上記トナー吸引ダクトの上流側から見て上方が上流側に寄り、下方が下流側に寄る方向に傾斜して構成とすることで、吸着面から剥離したトナーが落下し易くなり、フィルターの目詰まりを防止し易くなる。
【発明を実施するための最良の形態】
【００１８】
以下、本発明の実施の形態を添付図面を参照して説明する。
【００１９】
図１は、本発明の１実施例としての画像形成装置の構成を示す図である。ただし、都合によりダクトブロックと集塵装置は省略している。図１に示すように、この画像形成装置はタンデム型カラー画像形成装置と称せられるもので、原稿自動搬送手段３０、画像読取装置６０、画像書込装置３Ｙ，３Ｍ，３Ｃ，３Ｋ、像担持体としての感光体１Ｙ，１Ｍ，１Ｃ，１Ｋ、帯電器２Ｙ，２Ｍ，２Ｃ，２Ｋ、現像装置４Ｙ，４Ｍ，４Ｃ，４Ｋ、定着装置２４、中間転写ベルトからなる像担持体６、給紙カセット２０ａ，２０ｂ，２０ｃ、搬送系２２等を有する。
【００２０】
５Ｙ，５Ｍ，５Ｃ，５Ｋは、現像装置４Ｙ，４Ｍ，４Ｃ，４Ｋにそれぞれ新規トナーを補給するトナー補給手段である。
【００２１】
原稿自動搬送手段３０は両面又は片面の原稿ｄを自動搬送する手段である。画像読取装置６０は、走査光学系により画像情報が読み取られる装置で、原稿載置台上から給送される多数枚の原稿ｄの内容を、３枚の可動ミラー６０ｃで反射し、集光レンズ６０ｂにより、ＣＣＤからなる撮像素子６０ａ上に結像して読み取る。
【００２２】
イエロー色の画像を形成する画像形成部１０Ｙは、像担持体としての感光体１Ｙの周囲に配置された帯電器２Ｙ、画像書込装置３Ｙ、現像装置４Ｙ及びクリーニング装置８Ｙを有する。マゼンタ色の画像を形成する画像形成部１０Ｍは、像担持体としての感光体１Ｍの周囲に帯電器２Ｍ、画像書込装置３Ｍ、現像装置４Ｍ及びクリーニング装置８Ｍを有する。シアン色の画像を形成する画像形成部１０Ｃは、像担持体としての感光体１Ｃ、帯電器２Ｃ、画像書込装置３Ｃ、現像装置４Ｃ及びクリーニング装置８Ｃを有する。黒色画像を形成する画像形成部１０Ｋは、像担持体としての感光体１Ｋ、帯電器２Ｋ、画像書込装置３Ｋ、現像装置４Ｋ及びクリーニング装置８Ｋを有する。帯電器２Ｙと画像書込装置３Ｙ、帯電器２Ｍと画像書込装置３Ｍ、帯電器２Ｃと画像書込装置３Ｃ及び帯電器２Ｋと画像書込装置３Ｋとは、各色の潜像形成手段を構成する。
【００２３】
中間転写ベルトである像担持体６は、無端状のベルトであり、複数のローラにより張架され、回動可能に支持されている。この像担持体６には、クリーニング装置９が設けられており、クリーニング装置９は、クリーニングローラとクリーニングブレードとを備えている。
【００２４】
撮像素子６０ａ上に結像した画像情報の信号は、図示しない画像処理部に送られる。画像処理部は、アナログ処理、Ａ／Ｄ変換、シェーディング補正、画像圧縮処理等を行った後、画像書込装置３Ｙ，３Ｍ，３Ｃ，３Ｋに各色ごとの信号を送る。
【００２５】
画像書込装置３Ｙ，３Ｍ，３Ｃ，３Ｋでは、レーザ光源としての半導体レーザを用い、半導体レーザが出射した光ビームはポリゴンミラーなどの光学要素により走査光ビームに形成されて被走査体としての感光体１Ｙ，１Ｍ，１Ｃ，１Ｋに入射し、各色の静電潜像を形成する。
【００２６】
画像形成部１０Ｙ，１０Ｍ，１０Ｃ，１０Ｋより形成された各色の画像は、回動する像担持体６上に１次転写装置としての転写装置７Ｙ，７Ｍ，７Ｃ，７Ｋにより逐次転写されて（１次転写）、合成されたカラー画像が形成される。給紙カセット２０ａ，２０ｂ，２０ｃ内に収容された用紙Ｐは、給紙手段２１ａ，２１ｂ，２１ｃにより給紙され、搬送系２２を経て、レジストローラ２３でタイミングを合わせて２次転写装置としての転写装置７ａに搬送され、用紙Ｐ上にカラー画像が転写される（２次転写）。カラー画像が転写された用紙Ｐは、定着装置２４により定着処理され、排紙ローラ２５に挟持されて機外の排紙トレイ２６上に載置される。
【００２７】
一方、転写装置７ａにより用紙Ｐにカラー画像を転写した後、用紙Ｐを分離した像担持体６は、クリーニング装置９によりクリーニングされる。
【００２８】
図２は図１の画像形成ユニットと集塵装置の部分を示す拡大図で、図３は、図２の一番上方のダクトブロック１００Ｙとその周辺をさらに拡大した図である。
【００２９】
イエロー（Ｙ），マゼンタ（Ｍ），シアン（Ｃ），ブラック（Ｋ）の４色の画像形成ユニットと、中間転写体としての像担持体６等は、図示しないプロセス架台に取りつけられている。このプロセス架台は、装置本体側に設けられた図示しないレールを介して紙面に対して垂直方向に出し入れできるようになっている。各帯電器２Ｙ，２Ｍ，２Ｃ，２Ｋも紙面に対して垂直方向に取り付け、取り外しができる。
【００３０】
ダクトブロック１００Ｙはイエロー（Ｙ）の画像形成ユニットの帯電器２Ｙと、現像装置４Ｙとの間に配置されている。同様に、マゼンタ（Ｍ）の画像形成ユニットには、ダクトブロック１００Ｍが、シアン（Ｃ）の画像形成ユニットには、ダクトブロック１００Ｃが、ブラック（Ｋ）の画像形成ユニットには、ダクトブロック１００Ｋがそれぞれ配置されている。以下の説明では、帯電器２Ｙと現像装置４Ｙとの間に設けられたダクトブロック１００Ｙについて説明するが、特に断りがない限り、他のダクトブロック１００Ｍ，１００Ｃ，１００Ｋも同じ構成である。また、以下の説明では、ダクトブロック１００Ｙ，１００Ｍ，１００Ｃ，１００Ｋを総称してダクトブロック１００として説明する。同様に感光体、帯電器、現像装置もそれぞれ総称して感光体１、帯電器２、現像装置４として説明する。
【００３１】
前記ダクトブロック１００は、仕切壁１０１，１０２，１０３，１０４により区分された３つのダクト１１０，１２０，１３０を階層状に重ねた構成となっている。
【００３２】
中間にある空気導入ダクト１２０は、外気を帯電器内に導くためのダクトであり、その上に形成された、オゾン吸引ダクト１１０は、帯電器２から出るオゾン（コロナ放電電極の作動に伴って発生する）を当該帯電器２内またはその周囲から除去・排出するためのダクトである。
【００３３】
前記オゾン吸引ダクト１１０は、ダクトブロック１００の頂部の仕切壁１０１と、空気導入ダクト１２０との境界となる仕切壁１０２との間に形成されている。オゾン吸引ダクト１１０の吸入口は、感光体１の回転方向（反時計方向）に見て帯電器２の下流に位置する。
【００３４】
前記仕切壁１０３の感光体１寄りには、帯電器２を取り付ける取付手段があり、帯電器２を取り付けた状態で、帯電器２の底面とその背後に対向する仕切壁１０３との間に空間１２１が形成されている。帯電器２の底面には、孔が穿設されていて、空気導入ダクト１２０から供給される空気は、帯電器２を通過して感光体１に達するようになっている。
【００３５】
空気導入ダクト１２０は、プロセス架台に設けられる別のダクトに接続される。このダクトには、ファン等が設けられていて、外気を帯電器２を通して感光体１に送り込む。
【００３６】
なお、前記ダクトブロック１００の下面（具体的には、左斜め下方に傾斜した前記仕切壁１０３部分を含む下面）と、前記仕切壁１０３の下面と同様の形状を持った下側の現像装置４の上面とにより、下側の感光体１の現像領域に連通する飛散トナー排出のための通路１０５を形成している。仕切壁１０４の先端には、下側の現像装置４の上面との間を閉止するシール１０４ａが設けられている。そして、上側の現像装置４の下部にあるダクトブロック１００のトナー吸引ダクト１３０は、下方の感光体１とその現像装置４との間で発生した飛散トナーを吸引することになる。
【００３７】
最上部の感光体１Ｙとその現像装置４Ｙとの間に発生する飛散トナーは、現像装置４Ｙの上面に沿って形成されたトナー吸引ダクト１３１により吸引される。
【００３８】
前記オゾン吸引ダクト１１０およびトナー排出用のトナー吸引ダクト１３０の一方端部は開放されており、図２に示す集塵装置２００に接続される。
【００３９】
図４は集塵装置２００の内部構造を示す斜視図である。感光体１は紙面に垂直な方向に延びる円筒形状であり、その一方端側、この実施例では、プロセス架台を引き出したときの奥側に集塵装置２００が配置されている。
【００４０】
集塵装置２００には、上方に１つの接続口２０１と、側面に４カ所の接続口２０２，２０３，２０４，２０５とがある。そして、接続口２０１には、トナー吸引ダクト１３１が接続される。接続口２０２には、現像装置４Ｙの下にあるダクトブロック１００Ｙのトナー吸引ダクト１３０とオゾン吸引ダクト１１０が接続される。同様に、接続口２０３には、現像装置４Ｍの下のダクトブロック１００Ｍのトナー吸引ダクト１３０とオゾン吸引ダクト１１０が、接続口２０４には、現像装置４Ｃの下のダクトブロック１００Ｃのトナー吸引ダクト１３０とオゾン吸引ダクト１１０がそれぞれ接続される。一番下の接続口２０５には、現像装置４Ｋの下のダクトブロック１００Ｋのオゾン排出用のオゾン吸引ダクト１１０のみが接続される。
【００４１】
集塵装置２００の内部空間は、貯留部２１０と、フィルター２２０と、吸引室２３０とに分けられている。吸引室２３０の上方には、吸引口２４０があり、ここに吸引手段２６０としての吸引ファンが接続される。集塵装置２００の下部には、フィルター２２０に振動を与えるための振動手段２５０が設けられている。
【００４２】
貯留部２１０は、各トナー吸引ダクト１３０やオゾン吸引ダクト１１０で吸引された飛散トナーやオゾンが一時的に収容される空間である。トナー吸引ダクト１３０やオゾン吸引ダクト１１０内は断面積が小さいので流速が速いが、この貯留部２１０は断面積が大きくなっており、流速を十分に低下させるので、トナーの一部は下方に落下し、落下しないトナーがフィルター２２０に達し捕捉される。貯留部２１０の下部には、落下したトナーを収容する空間としてのトナー回収部２１１が形成されている。
【００４３】
フィルター２２０は、トナー吸着用のフィルターとオゾン除去用の活性炭入りフィルターの双方を兼ねるものであり、１枚のシート状のフィルターを、同じ巾で複数回折って蛇腹状にしたものである。蛇腹状に折ることで、フィルター２２０の剛性を増加し、振動手段２５０による振動を伝え易くすることができる。また、フィルター２２０の吸着面２２０ａが層状に多数形成されることになり、吸着面２２０ａの総面積が増加し、集塵容量を上げることができる。
【００４４】
この実施例における振動手段２５０は、モータに偏心して取り付けられた円板状の錘２５１を回転することで、フィルター２２０に振動を与える構成のものである。モータの軸は水平方向にあるので、錘２５１は上下方向の振動をフィルター２２０に与えることになる。ただし、振動手段２５０は、実施例の構成のものに限定されるものではない。フィルター２２０が蛇腹状で、蛇腹の各折り目が上下方向になっていると、上下方向の振動によって、フィルター２２０の吸着面２２０ａに吸着した飛散トナーが落下し易くなる。
【００４５】
蛇腹状に折られたことによってフィルター２２０には多数の吸着面２２０ａが若干の隙間を持って層状に配置されているが、最初の吸着面２２０ａが大半のトナーを吸着することになる。そして、最初の吸着面２２０ａを通過した若干のトナーは、第２、第３……と続く複数の吸着面２２０ａのいずれかに吸着される。フィルター２２０の吸着面２２０ａの図４に示す角度αが鈍角の場合は、振動により剥離したトナーは吸着面２２０ａ上を滑りながら落ちることになる。
【００４６】
一方、この角度αが図示のように鋭角であると具合がよい。鋭角とは、すなわち、トナー吸引ダクトの上流側から見て上方が上流側に寄り、下方が下流側に寄る傾斜をしていることであるが、その理由は以下の通りである。フィルター２２０に達した飛散トナーの大部分は、フィルター２２０の最初の吸着面２２０ａに捕捉される。振動手段２５０がフィルター２２０に振動を加えた場合、角度αが鋭角であれば、最初の吸着面２２０ａから剥離したトナーは直ちにこの吸着面２２０ａから離れて下方に落下し、トナー回収部２１１に回収できることになるからである。
【００４７】
なお、第２、第３以降の吸着面２２０ａで吸着されたトナーは、振動により当該吸着面２２０ａからは剥離するが、落下して前の吸着面２２０ａの裏面上に落ち、この吸着面２２０ａ上を滑り落ちることになる。下方に落下したトナーは、貯留部２１０の下部に形成されたトナー回収部２１１に溜まる。
【００４８】
次に、上記した実施の形態の作動を説明する。
画像形成が始まると、感光体１Ｙが反時計方向に回転し、帯電器２Ｙがコロナ放電により感光体１Ｙの表面に一様に帯電させる。感光体１Ｙの帯電された表面に、画像書込装置３Ｙから、書込光路に沿ってレーザ光ビームを照射し、感光体１Ｙ上にイエロー色の静電潜像を形成する。以下、図１で説明したようにして各色の静電潜像が形成され、トナー画像となり、中間転写体としての像担持体６に転写され、用紙上に画像形成がされ、定着装置２４で定着される。
【００４９】
このような画像形成過程において、感光体１Ｙが回転すると、感光体１Ｙ表面の空気が一緒に動いて表層流が生じる。また、帯電器２Ｙからはオゾンが発生する。発生したオゾンは、表層流に乗って現像装置４Ｙの下部に向かって流れる。
【００５０】
表層流に乗って現像装置４Ｙ下部に向かったオゾンの流れは、オゾン吸引ダクト１１０の負圧によって吸い込まれ、集塵装置２００のフィルター２２０に含まれるオゾン除去用の活性炭でオゾンが除去され、オゾンの無い空気となって機外に排出される。
【００５１】
感光体１Ｙと現像装置４Ｙとの間で発生した飛散トナーは、トナー吸引ダクト１３１の負圧によって吸い込まれ、集塵装置２００内に入る。そして、集塵装置２００内で速度が低下し、一部が重力により落下してトナー回収部２１１に回収される。落下しなかったトナーは、フィルター２２０に達する。フィルター２２０の目はトナー粒子より小さいので、フィルター２２０の最初の吸着面２２０ａでトナーの大部分が捕捉される。若干のトナーは最初の吸着面２２０ａを通過するが、第２、第３と続く吸着面のどこかに吸着される。
【００５２】
感光体１Ｍとその現像装置４Ｍとの間で発生した飛散トナーは、現像装置４Ｙの下部にあるダクトブロック１００の通路１０５に入り、これに連通するトナー吸引ダクト１３０を通過し、集塵装置２００のフィルター２２０で捕捉される。感光体１Ｃ、感光体１Ｋで発生するオゾンや飛散トナーも同様にそれぞれのトナー吸引ダクト１３０とオゾン吸引ダクト１１０に吸引され、集塵装置２００に入る。
【００５３】
オゾン吸引ダクト１１０と、トナー吸引ダクト１３０とで帯電器２Ｙ近くの空気を吸引するので、帯電器２Ｙ近傍は低圧になる。そこで、空気導入ダクト１２０から外気を導入することになる。これら３つのダクトは分離して整然と階層状に配置されているので、オゾンを含む風、飛散トナーを含む風、外から供給される風の３つの風のコントロールがうまくできる。
【００５４】
フィルター２２０の吸着面２２０ａには飛散トナーが付着する。放置しておくと、やがて目詰まりをおこしてフィルター機能が失われる。そこで、振動手段２５０を稼働させ、フィルター２２０を振動させる。この振動によって、吸着面２２０ａに付着しているトナーが剥離して落下し、トナー回収部２１１に溜まる。トナーの剥離によりフィルター２２０の目詰まりを防止することができる。
【００５５】
フィルター２２０は、シート状のものを蛇腹状に折り曲げているので、剛性が高くなり、振動を良く伝え、トナーの剥離を促進することができる。また、吸着面２２０ａは上下方向に広がっているので、剥離したトナーは下方に落下し易い。特に、実施例では、吸着面２２０ａに角度αが鋭角になるような傾斜を設けているので、剥離したトナーはフィルター２２０を離れて落下し、トナー回収部２１１に回収し易くなっている。
【図面の簡単な説明】
【００５６】
【図１】本発明の画像形成装置の構成を示す図である。
【図２】図１の画像形成ユニットと集塵装置の部分を示す拡大図である。
【図３】図２の一番上方のダクトブロックとその周辺を拡大した図である。
【図４】集塵装置の内部構造を示す斜視図である。
【符号の説明】
【００５７】
１Ｙ，１Ｍ，１Ｃ，１Ｋ    感光体
４Ｙ，４Ｍ，４Ｃ，４Ｋ    現像装置
１１０    オゾン吸引ダクト
１３０，１３１  トナー吸引ダクト
２００    集塵装置
２１１    トナー回収部
２２０    フィルター
２２０ａ  吸着面
２５０    振動手段
【図１】
2007298781.tif 000003
【図２】
2007298781.tif 000004
【図３】
2007298781.tif 000005
【図４】
2007298781.tif 000006